(57)【要約】【課題】  複数のモニタに接続されたＳＴＢに記憶された映像コンテンツをスマートフォンなどで操作可能な映像送信システムにおける操作性を向上させる。【解決手段】  受信した映像データを表示可能に構成された表示装置（モニタ４０）から、該表示装置を特定するための特定情報を無線で受信可能に構成された無線受信部（近距離無線通信部１１０）と、映像データを送信可能に構成された映像データ送信装置（サーバ３０）に対して、前記特定情報で特定された前記表示装置に映像データを送信するよう指示する映像データ送信指示を無線で送信可能に構成された無線送信部（Ｗｉ−Ｆｉ通信部１２０）と、を備えることを特徴とする映像データ制御装置（スマートフォン１０）を提供する。【選択図】  図５
2016019025.tif 000002
【特許請求の範囲】
【請求項１】
受信した映像データを表示可能に構成された表示装置から、該表示装置を特定するための特定情報を無線で受信可能に構成された無線受信部と、
映像データを送信可能に構成された映像データ送信装置に対して、前記特定情報で特定された前記表示装置に映像データを送信するよう指示する映像データ送信指示を無線で送信可能に構成された無線送信部と、を備える
ことを特徴とする映像データ制御装置。
【請求項２】
前記無線送信部は、前記表示装置との無線通信が切断されたことが検出されたとき、前記映像データ送信装置に対して、前記表示装置に対する映像データの送信を停止するよう指示する映像データ停止指示を無線で送信可能に構成された
ことを特徴とする請求項１に記載の映像データ制御装置。
【請求項３】
前記無線受信部は、第１の前記表示装置との無線通信が切断された後、第２の前記表示装置との無線通信が開始されたことが検出されたとき、該第２の前記表示装置を特定するための特定情報を無線で受信可能に構成されており、
前記無線送信部は、前記特定情報で特定された第２の前記表示装置に、第１の前記表示装置に対する送信が停止された映像データの送信を再開するよう指示する映像データ送信再開指示を無線で送信可能に構成されている、
ことを特徴とする請求項２に記載の映像データ制御装置。
【請求項４】
受信した映像データを表示可能に構成された表示装置を特定する特定情報、映像データの送信を指示する映像データ送信指示、及び映像データの送信停止を指示する映像データ停止指示、を受信可能に構成された無線受信部と、
配信された配信映像データを受信可能に構成された配信映像データ受信部と、
前記配信映像データを、前記表示装置に対して映像データとして送信可能に構成された映像データ送信部と、
前記配信映像データを記憶可能に構成された配信映像データ記憶部と、
前記映像データ送信部及び前記映像データ記憶部を制御可能に構成された制御部と、を備え、
前記制御部は、
（１）前記映像データ送信指示を受信したとき、前記特定情報で特定された前記表示装置に対して映像データを送信するよう前記映像データ送信部を制御し、
（２）前記映像データ停止指示を受信したとき、前記表示装置に対する映像データの送信を停止するよう前記映像データ送信部を制御し、かつ、前記配信映像データを記憶するよう前記配信映像データ記憶部を制御し、
（３）前記映像データ停止指示の後に前記映像データ送信指示を受信したとき、前記特定情報で特定された前記表示装置に対して、前記配信映像データ記憶部に記憶された映像データを送信するよう前記配信映像データ記憶部及び前記映像データ送信部を制御する
ことができるよう構成された
ことを特徴とする映像データ送信装置。
【請求項５】
受信した映像データを表示可能に構成された表示装置から、該表示装置を特定するための特定情報を無線で受信する特定情報受信ステップと、
映像データを送信可能に構成された映像データ送信装置に対して、前記特定情報で特定された前記表示装置に映像データを送信するよう指示する映像データ送信指示を無線で送信する映像データ送信指示ステップと、を含む
前記表示装置に映像データを送信する映像データ送信ステップと、を含む
ことを特徴とする映像データ制御方法。
【請求項６】
前記特定情報受信ステップの前に、前記表示装置に対して赤外線通信により前記特定情報の発信を指示する特定情報発信指示ステップを含む、
ことを特徴とする請求項５に記載の映像データ制御方法。
【請求項７】
前記特定情報受信ステップの前に、前記映像データ送信装置を介して、前記表示装置に対して前記特定情報の発信を指示する特定情報発信指示ステップを含む、
ことを特徴とする請求項５に記載の映像データ制御方法。
【発明の詳細な説明】
【技術分野】
【０００１】
本発明の一態様は、表示装置に表示させるための映像データを送信するよう制御可能に構成された映像データ制御装置などに関する。
【背景技術】
【０００２】
ユーザが映画などの映像を視聴するためのシステムとして、複数の表示装置と、これらの複数の表示装置のいずれかに映像データを送信するＳＴＢ（セット・トップ・ボックス）とを含む映像送信システムがある。このような映像送信システムでは、リモコン、またはリモコンと同様の機能を実現可能なスマートフォンなどを用いて、ＳＴＢから映像データを送信する表示装置を指定し、送信する映像データを制御していた。特許文献１には、このようなシステムにおいて、端末から得られる位置情報をサーバ装置に送信し、この位置情報に基づいてサーバ装置がコンテンツを通知すべきスクリーンを決定する技術が開示されている。
【先行技術文献】
【特許文献】
【０００３】
【特許文献１】特開２０１２−６８７０９号公報
【発明の概要】
【発明が解決しようとする課題】
【０００４】
しかしながら、従来の技術では、映像データを送信すべき表示装置の特定が煩雑であった。また、特許文献１に記載の技術では、位置情報を利用することにより映像データを送信すべき表示装置を特定するが、位置検出の精度に課題があった。さらに、ユーザが部屋を移動した場合には、映像を継続的に視聴するために、その都度映像データの送信先の特定が必要であった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
受信した映像データを表示可能に構成された表示装置（モニタ４０）から、該表示装置を特定するための特定情報を無線で受信可能に構成された無線受信部（近距離無線通信部１１０）と、
映像データを送信可能に構成された映像データ送信装置（サーバ３０）に対して、前記特定情報で特定された前記表示装置に映像データを送信するよう指示する映像データ送信指示を無線で送信可能に構成された無線送信部（Ｗｉ−Ｆｉ通信部１２０）と、を備える
ことを特徴とする映像データ制御装置（スマートフォン１０）である。
【０００７】
上記構成の映像データ制御装置（スマートフォン１０）によれば、ユーザの操作によらず自動的かつ容易に映像データを送信する表示装置（モニタ４０）を特定し、ユーザが容易に映像コンテンツの視聴をすることが可能となる。
【０００８】
本発明の手段２は、
前記無線送信部（Ｗｉ−Ｆｉ通信部１２０）は、前記表示装置（モニタ４０）との無線通信が切断されたことが検出されたとき、前記映像データ送信装置（サーバ３０）に対して、前記表示装置に対する映像データの送信を停止するよう指示する映像データ停止指示を無線で送信可能に構成された
ことを特徴とする手段１の映像データ制御装置（スマートフォン１０）である。
【０００９】
上記構成の映像データ制御装置（スマートフォン１０）によれば、映像データ制御装置（スマートフォン１０）を保持したユーザが表示装置（モニタ４０）から離れたときに、映像データ送信装置（サーバ３０）から表示装置（モニタ４０）に対する映像データの送信を自動的に停止することが可能となる。
【００１０】
本発明の手段３は、
前記無線受信部（近距離無線通信部１１０）は、第１の前記表示装置（例えばベッドルームのモニタ４０）との無線通信が切断された後、第２の前記表示装置（例えばリビングのモニタ４０）との無線通信が開始されたことが検出されたとき、該第２の前記表示装置を特定するための特定情報を無線で受信可能に構成されており、
前記無線送信部（Ｗｉ−Ｆｉ通信部１２０）は、前記特定情報で特定された第２の前記表示装置に、第１の前記表示装置に対する送信が停止された映像データの送信を再開するよう指示する映像データ送信再開指示を無線で送信可能に構成されている、
ことを特徴とする手段２の映像データ制御装置（スマートフォン１０）である。
【００１１】
上記構成の映像データ送信装置（サーバ３０）によれば、ユーザが映像を視聴する部屋を移動して視聴に利用する表示装置（モニタ４０）を変更したいときに、自動的かつ継続的に映像コンテンツを視聴することが容易になる。
【００１２】
本発明の手段４は、
受信した映像データを表示可能に構成された表示装置を特定する特定情報、映像データの送信を指示する映像データ送信指示、及び映像データの送信停止を指示する映像データ停止指示、を受信可能に構成された無線受信部（Ｗｉ−Ｆｉ通信部３２０）と、
配信された配信映像データを受信可能に構成された配信映像データ受信部（３５０）と、
前記配信映像データを、前記表示装置に対して映像データとして送信可能に構成された映像データ送信部（Ｗｉ−Ｆｉ通信部３２０）と、
前記配信映像データを記憶可能に構成された配信映像データ記憶部（メモリ３４０）と、
前記映像データ送信部及び前記映像データ記憶部を制御可能に構成された制御部（３００）と、を備え、
前記制御部は、
（１）前記映像データ送信指示を受信したとき、前記特定情報で特定された前記表示装置に対して映像データを送信するよう前記映像データ送信部を制御し、
（２）前記映像データ停止指示を受信したとき、前記表示装置に対する映像データの送信を停止するよう前記映像データ送信部を制御し、かつ、前記配信映像データを記憶するよう前記配信映像データ記憶部を制御し、
（３）前記映像データ停止指示の後に前記映像データ送信指示を受信したとき、前記特定情報で特定された前記表示装置に対して、前記配信映像データ記憶部に記憶された映像データを送信するよう前記配信映像データ記憶部及び前記映像データ送信部を制御する
ことができるよう構成された
ことを特徴とする映像データ送信装置（サーバ３０）である。
【００１３】
上記構成の映像データ送信装置（サーバ３０）によれば、ユーザの操作によらず自動的かつ容易に映像データを送信する表示装置（モニタ４０）を特定し、ユーザが容易に映像コンテンツの視聴をすることが可能となる。さらに、ユーザが映像を視聴する部屋を移動して視聴に利用する表示装置（モニタ４０）を変更したいときに、自動的かつ継続的に映像コンテンツを視聴することが容易になる。
【００１４】
本発明の手段５は、
受信した映像データを表示可能に構成された表示装置（モニタ４０）から、該表示装置を特定するための特定情報を無線で受信する特定情報受信ステップ（Ｓ５１０）と、
映像データを送信可能に構成された映像データ送信装置（サーバ３０）に対して、前記特定情報で特定された前記表示装置に映像データを送信するよう指示する映像データ送信指示を無線で送信する映像データ送信指示ステップ（Ｓ５２０）と、
前記表示装置に映像データを送信する映像データ送信ステップ（Ｓ５３０）と、を含む
ことを特徴とする映像データ制御方法である。
【００１５】
上記構成の映像データ制御方法によれば、ユーザの操作によらず自動的かつ容易に映像データを送信する表示装置（モニタ４０）を特定し、ユーザが容易に映像コンテンツの視聴をすることが可能となる。
【００１６】
本発明の手段６は、
前記特定情報受信ステップ（Ｓ５１０）の前に、前記表示装置（モニタ４０）に対して赤外線通信により前記特定情報の発信を指示する特定情報発信指示ステップ（Ｓ５０１〜Ｓ５０２）を含む、
ことを特徴とする手段５の映像データ制御方法である。
【００１７】
上記構成の映像データ制御方法によれば、赤外線通信により表示装置（モニタ４０）の電源をオン状態にし、同時に特定情報の発信を指示することなどが可能になる。これにより、赤外線通信で特定情報の発信指示を受信するまでは特定情報を発信する必要がなくなり、表示装置（モニタ４０）における消費電力を削減することが可能となる。
【００１８】
本発明の手段７は、
前記特定情報受信ステップ（Ｓ５１０）の前に、前記映像データ送信装置（サーバ３０）を介して、前記表示装置（モニタ４０）に対して前記特定情報の発信を指示する特定情報発信指示ステップ（Ｓ５０３〜Ｓ５０５）を含む、
ことを特徴とする手段５の映像データ制御方法である。
【００１９】
上記構成の映像データ制御方法によれば、赤外線通信機能などを備えない映像データ制御装置（スマートフォン１０）を利用しながら、自動的かつ容易に映像データを送信する表示装置（モニタ４０）を特定し、ユーザが容易に映像コンテンツの視聴をすることが可能となる。これにより、表示装置（モニタ４０）は、特定情報の発信指示を受信するまでは特定情報を発信する必要がなくなり、表示装置（モニタ４０）における消費電力を削減することが可能となる。
【図面の簡単な説明】
【００２０】
【図１】映像送信システムの構成例を示す図。
【図２】スマートフォンの構成例を示す図。
【図３】サーバの構成例を示す図。
【図４】モニタの構成例を示す図。
【図５】実施形態１の映像送信処理を示すフローチャート。
【図６】実施形態１の映像送信停止処理を示すフローチャート。
【図７】実施形態１の映像送信再開処理を示すフローチャート。
【図８】実施形態１の映像送信終了処理を示すフローチャート。
【図９】実施形態２の映像送信処理を示すフローチャート。
【図１０】実施形態３の映像送信処理を示すフローチャート。
【発明を実施するための形態】
【００２１】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）映像送信システムの構成例
（２）具体的な動作例
２．実施形態２
３．実施形態３
４．補足事項
５．本発明の特徴
【００２２】
＜１．実施形態１＞
まず、本発明の実施形態１について、図１乃至図８を参照しながら説明する。
【００２３】
＜（１）映像送信システムの構成例＞
図１は、本実施形態の映像送信システムの構成例を示す図である。図１に示すように、本実施形態の映像送信システムは、スマートフォン１０、無線ＬＡＮルータ２０、サーバ３０、及び複数のモニタ４０Ａ〜４０Ｃを含んで構成される。この映像送信システムにおいて、ユーザはスマートフォン１０を操作し、ユーザがいる部屋に配置されたモニタ４０で映像を視聴する。モニタ４０Ａ〜４０Ｃは、例えば、ベッドルーム、リビング、及びキッチンなどにそれぞれ配置される。
【００２４】
＜スマートフォン１０＞
スマートフォン１０は、複数のモニタ４０を操作するためのリモコンソフトを実行可能に構成された携帯端末である。本実施形態では、このリモコンソフトを実行中のスマートフォン１０について説明する。
【００２５】
図２は、スマートフォン１０の具体的な構成例を示す図である。図２に示されるように、スマートフォン１０は、制御部１００、近距離無線通信部１１０、Ｗｉ−Ｆｉ通信部１２０、タッチパネル１３０、及びメモリ１４０を含んで構成される。
【００２６】
＜制御部１００＞
制御部１００は、スマートフォン１０における種々の処理を実行可能に構成された制御手段であり、タッチパネル１３０で検出されたユーザの操作、または近距離無線通信部１１０もしくはＷｉ−Ｆｉ通信部１２０で受信した信号などに基づいて、近距離無線通信部１１０、Ｗｉ−Ｆｉ通信部１２０、タッチパネル１３０、及びメモリ１４０を制御可能に構成される。また、制御部１００は、メモリ１４０に記憶されたリモコンソフトを実行可能に構成される。
【００２７】
制御部１００は、近距離無線通信部１１０によって検出されたモニタ４０から発信される特定情報に基づいて、サーバ３０から映像を送信すべきモニタ４０を特定可能に構成される。そして、制御部１００は、この特定情報で特定されるモニタ４０に映像データを送信するよう指示する映像データ送信指示を、Ｗｉ−Ｆｉ通信部１２０を介してサーバ３０に無線で送信可能に構成される。映像データ送信指示には、映像データを送信すべきモニタ４０を特定する特定情報、及び送信する映像データを指定する情報が含まれる。
【００２８】
また、制御部１００は、近距離無線通信部１１０によってモニタ４０から発信される特定情報が検出できない状態となり、スマートフォン１０とモニタ４０との無線通信が切断されたことが検出されたときに、Ｗｉ−Ｆｉ通信部１２０からサーバ３０に対して、映像データの送信を停止することを指示する映像データ停止指示を送信可能に構成される。
【００２９】
＜近距離無線通信部１１０＞
近距離無線通信部１１０は、概ね家庭内の各部屋内で通信可能な無線通信により、モニタ４０から発信される特定情報を無線で受信可能に構成される。近距離無線通信部１１０は、受信した特定情報を制御部１００に出力可能に構成される。
【００３０】
＜Ｗｉ−Ｆｉ通信部１２０＞
Ｗｉ−Ｆｉ通信部１２０は、無線ＬＡＮを利用した無線通信により、無線ＬＡＮルータ２０との間で信号（データを含む）を送受信可能に構成される。また、Ｗｉ−Ｆｉ通信部１２０は、無線ＬＡＮルータ２０を介して、サーバ３０及びモニタ４０との間で、信号（データを含む）を送受信可能に構成される。特に本実施形態では、Ｗｉ−Ｆｉ通信部１２０は、無線ＬＡＮルータ２０を介してサーバ３０に対して、制御部１００の制御により、特定のモニタ４０に対して映像データを送信するよう指示する映像データ送信指示及び映像データ停止指示などを無線で送信可能に構成される。
【００３１】
＜タッチパネル１３０＞
タッチパネル１３０は、表示部と一体に形成され、ユーザによる接触による操作を検出可能に構成される。タッチパネル１３０と一体に形成された表示部は、ＬＣＤまたは有機ＥＬディスプレイなどで構成される。タッチパネル１３０は、ユーザによる接触を検出すると、検出されたユーザによる操作を制御部１００に出力可能に構成される。また、タッチパネル１３０と一体形成された表示部は、制御部１００から入力された画像データに応じて、ユーザが視認可能な状態で画像（映像を含む）を表示可能に構成される。
【００３２】
＜メモリ１４０＞
メモリ１４０は、制御部１００の制御により、種々のデータを記憶し、記憶しているデータを制御部１００に出力可能に構成される。メモリ１４０は、例えば、スマートフォン１０で実行されるリモコンソフトなどを記憶する。
【００３３】
＜サーバ３０＞
サーバ３０は、配信される映像データを受信し、受信した配信映像データをモニタ４０に無線で送信したり、この配信映像データをメモリ３４０に記憶したりすることができるよう構成されたＳＴＢ（セット・トップ・ボックス）として機能する映像データ送信装置である。また、サーバ３０は、メモリ３４０に記憶されたゲーム及び映画などの映像コンテンツを含むコンテンツの映像データをモニタ４０に無線で送信できるよう構成されてもよい。サーバ３０は、無線ＬＡＮルータ２０を介してスマートフォン１０との信号（データを含む）のやり取りを実行し、複数のモニタ４０Ａ〜４０Ｃとの信号（データを含む）のやり取りを実行可能に構成される。特に、本実施形態では、サーバ３０は、スマートフォン１０から無線ＬＡＮルータ２０を介して受信した特定情報を含む映像データ送信指示に基づいて、特定情報で特定されたモニタ４０に映像データを送信可能に構成される。
【００３４】
図３は、サーバ３０の具体的な構成例を示す図である。図３に示されるように、サーバ３０は、制御部３００、Ｗｉ−Ｆｉ通信部３２０、メモリ３４０、及び配信映像データ受信部３５０を含んで構成される。
【００３５】
＜制御部３００＞
制御部３００は、サーバ３０における種々の処理を実行可能に構成された制御手段であり、Ｗｉ−Ｆｉ通信部３２０で受信した信号などに基づいて、Ｗｉ−Ｆｉ通信部３２０、メモリ３４０、及び配信映像データ受信部３５０を制御可能に構成される。また、制御部３００は、Ｗｉ−Ｆｉ通信部３２０で受信した映像データ送信指示に基づいて、この映像データ送信指示に含まれる特定情報により指定されたモニタに対して所定の映像データを送信するようＷｉ−Ｆｉ通信部３２０を制御可能に構成される。
【００３６】
サーバ３０からモニタ４０に対して送信される映像データは、モニタ４０で復号可能な形式で送信される。すなわち、送信しようとする映像データがモニタ４０で復号可能な形式でない場合には、制御部３００は、この映像データをモニタ４０で復号可能な所定の形式に符号化して送信する。
【００３７】
また、制御部３００は、配信映像データ受信部３５０で受信した配信映像データ、メモリ３４０に記憶された映像コンテンツを再生したときの映像データ、またはメモリ３４０に記憶されたゲームなどのコンテンツ（ソフトウェア）を実行したときの映像データを、映像データとしてモニタ４０に送信可能に構成される。
【００３８】
また、制御部３００は、Ｗｉ−Ｆｉ通信部３２０で受信した映像データ停止指示に基づいて、映像データを送信しているモニタに対する映像データの送信を停止するようＷｉ−Ｆｉ通信部３２０を制御可能に構成される。このとき、サーバ３０が配信映像データ受信部３５０で受信した配信映像データ（所謂ライブコンテンツ）を送信していた場合には、制御部３００は、配信映像データ受信部３５０で受信した配信映像データをメモリ３４０に記憶させるよう制御する。一方、サーバ３０がメモリ３４０に記憶されたコンテンツの映像データを送信していた場合には、制御部３００は、送信を停止したタイミングを記憶しておき、映像データの送信を再開するときは、この送信停止タイミングから映像データを送信するよう制御する。
【００３９】
また、制御部３００は、サーバ３０からモニタ４０に対する映像データの送信を停止した後に、Ｗｉ−Ｆｉ通信部３２０で映像データ送信指示及び特定情報を受信したとき、サーバ３０に対して映像データの送信を再開する。このとき、配信映像データ受信部で受信した配信映像データをメモリ３４０に記憶させていれば、メモリ３４０に記憶された配信映像データを、特定情報で特定されたモニタ４０に対して送信するようＷｉ−Ｆｉ通信部３２０を制御する。また、映像データの送信を停止したときに、メモリ３４０に記憶されたコンテンツの映像データを送信していたときは、映像データの送信を停止する前に送信していた映像データを特定情報で特定されたモニタ４０に対して送信するようＷｉ−Ｆｉ通信部３２０を制御する。すなわち、このとき送信される映像データは、この映像データ送信指示の受信前の、Ｗｉ−Ｆｉ通信部３２０が映像データ停止指示を受信したタイミング以降の配信映像データである。
【００４０】
＜Ｗｉ−Ｆｉ通信部３２０＞
Ｗｉ−Ｆｉ通信部３２０は、無線ＬＡＮを利用した無線通信により、無線ＬＡＮルータ２０及び複数のモニタ４０Ａ〜４０Ｃとの間で、それぞれ信号（データを含む）を送受信可能に構成される。Ｗｉ−Ｆｉ通信部３２０は、無線ＬＡＮルータ２０を介して、スマートフォン１０との間で信号（データを含む）を送受信可能に構成される。特に本実施形態では、Ｗｉ−Ｆｉ通信部３２０は、スマートフォン１０から、無線ＬＡＮルータ２０を介して、映像データ送信指示を受信可能に構成される。また、Ｗｉ−Ｆｉ通信部３２０は、モニタ４０に対して映像データを送信可能に構成される。
【００４１】
＜メモリ３４０＞
メモリ３４０は、制御部３００の制御により、種々のデータを記憶し、記憶しているデータを制御部３００に出力可能に構成される。また、メモリ３４０は、例えば映画などの映像コンテンツの映像データ、及びゲームなどのコンテンツのデータを記憶可能に構成される。さらに、本実施形態では、メモリ３４０は、制御部３００の制御により、配信映像データ受信部３５０で受信した配信映像データを記憶し、また、記憶している配信映像データを出力可能に構成される。
【００４２】
＜配信映像データ受信部３５０＞
配信映像データ受信部３５０は、有線または無線で配信される配信映像データを受信可能に構成される。配信映像データ受信部３５０で受信された配信映像データは、制御部３００の制御により、必要に応じて符号化されて、Ｗｉ−Ｆｉ通信部３２０から映像データとして送信され、またはメモリ３４０に記憶される。
【００４３】
＜モニタ４０＞
モニタ４０は、例えば家庭内のリビング、ベッドルーム、及びキッチンなどに配置されたテレビを含む表示装置である。モニタ４０は、サーバ３０から受信した映像データを表示可能に構成される。
【００４４】
図４は、モニタ４０の具体的な構成例を示す図である。図４に示されるように、モニタ４０は、制御部４００、近距離無線通信部４１０、Ｗｉ−Ｆｉ通信部４２０、表示部４３０、及びメモリ４４０を含んで構成される。
【００４５】
＜制御部４００＞
制御部４００は、モニタ４０における種々の処理を実行可能に構成された制御手段であり、近距離無線通信部４１０またはＷｉ−Ｆｉ通信部４２０で受信された信号に基づいて、近距離無線通信部４１０、Ｗｉ−Ｆｉ通信部４２０、表示部４３０、及びメモリ４４０を制御可能に構成される。
【００４６】
制御部４００は、Ｗｉ−Ｆｉ通信部４２０で受信された映像データに基づく映像を表示部４３０に表示するよう制御可能に構成される。このとき、制御部４００は、Ｗｉ−Ｆｉ通信部４２０で受信された映像データが符号化されている場合には、この符号化された映像データを復号する。
【００４７】
＜近距離無線通信部４１０＞
近距離無線通信部４１０は、概ね家庭内の各部屋内で通信可能な電波強度の無線通信により、特定情報を周囲に発信可能に構成される。
【００４８】
＜Ｗｉ−Ｆｉ通信部４２０＞
Ｗｉ−Ｆｉ通信部４２０は、無線ＬＡＮを利用した無線通信により、サーバ３０と信号（データを含む）を送受信可能に構成される。特に本実施形態では、Ｗｉ−Ｆｉ通信部４２０は、サーバ３０から映像データを受信し、受信した映像データを制御部４００に出力可能に構成される。
【００４９】
＜表示部４３０＞
表示部４３０は、ＬＣＤまたは有機ＥＬディスプレイなどで構成され、制御部４００の制御により画像（映像を含む）を表示可能に構成される。
【００５０】
＜メモリ４４０＞
メモリ４４０は、制御部４００の制御により、種々のデータを記憶し、記憶しているデータを制御部４００に出力可能に構成される。メモリ４４０は、例えば、Ｗｉ−Ｆｉ通信部４２０で受信された映像データを記憶可能に構成される。
【００５１】
＜（２）具体的な動作例＞
次に、上記構成の映像送信システムで実行される種々の動作の具体例について説明する。以下の説明では、映像送信開始処理、映像送信停止処理、映像送信再開処理、および映像送信終了処理について、それぞれ図面を参照しながら具体的に説明する。
【００５２】
まず、図５は、映像送信システムで実行される映像送信処理を示すフローチャートである。
【００５３】
＜Ｓ５００〜Ｓ５１０＞
例えばベッドルームにいるユーザが、ベッドルームに配置されたテレビ（モニタ４０Ａ）で映画コンテンツを視聴しようとして、スマートフォン１０を操作したとする。このとき、ユーザはスマートフォン１０でリモコンソフトを実行し、リモコンソフトをタッチパネル１３０で操作して、映画コンテンツを視聴するよう操作する。タッチパネル１３０は、検出されたユーザによる操作内容に関する操作情報を制御部１００に出力する。また、スマートフォン１０の近距離無線通信部１１０は、モニタ４０Ａの近距離無線通信部４１０から発信される特定信号（モニタ情報）を取得し、制御部１００に出力する（Ｓ５１０）。
【００５４】
＜Ｓ５２０＞
次に、制御部１００は、Ｗｉ−Ｆｉ通信部１２０無線ＬＡＮルータ２０を介してサーバ３０に対して、映像データを送信すべきモニタ４０Ａを特定する特定信号を含む映像データの送信を指示する映像データ送信指示を送信する（Ｓ５２０）。
【００５５】
＜Ｓ５３０＞
次に、サーバ３０のＷｉ−Ｆｉ通信部３２０は、無線ＬＡＮルータ２０を介して、スマートフォン１０から送信された特定情報を含む映像データ送信指示を受信し、この映像データ送信指示を制御部３００に出力する。そして、制御部３００は、特定情報に基づいて特定されたモニタ４０Ａに対して映像データの送信するよう、Ｗｉ−Ｆｉ通信部３２０を制御する（Ｓ５３０）。ここで送信される映像データは、例えば配信映像データ受信部３５０で受信した配信映像データ、または目おり３４０に記憶されたコンテンツの映像データである。
【００５６】
＜Ｓ５４０＞
以上の処理によって、ユーザは、例えば、ベッドルームに配置されたテレビ（モニタ４０Ａ）に対して映像データを送信する処理を終了する（Ｓ５４０）。このようにして、ユーザは、ベッドルームのモニタ４０Ａを特定する煩雑な処理を行うことなく、このモニタ４０Ａで映像コンテンツを視聴することができる。
【００５７】
次に、図６は、映像送信システムで実行される映像送信停止処理を示すフローチャートである。
【００５８】
＜Ｓ６００〜Ｓ６１０＞
例えばベッドルームのテレビ（モニタ４０Ａ）でユーザが映像を視聴しているとき、スマートフォン１０の近距離無線通信部１１０は、断続的または連続的に、モニタ４０Ａの近距離無線通信部４１０から発信される特定情報を検出する（Ｓ６００〜Ｓ６１０）。これにより、スマートフォン１０とモニタ４０Ａとの接続状況が確認される。例えば、ユーザがベッドルームから移動したとき、スマートフォン１０の近距離無線通信部１１０はモニタ４０Ａの近距離無線通信部４１０から発信される特定情報を検出できなくなり、スマートフォン１０とモニタ４０との接続が切断されたと判断する。
【００５９】
＜Ｓ６２０〜Ｓ６３０＞
上記処理により、スマートフォン１０の近距離無線通信部１１０がモニタ４０Ａから発信される特定情報を検出できなくなり、スマートフォン１０とモニタ４０Ａとの無線接続が切断されると（Ｓ６２０でＮ）、スマートフォン１０の制御部１００は、Ｗｉ−Ｆｉ通信部１２０からサーバ３０に対して映像データ停止指示を送信するよう制御する（Ｓ６３０）。
【００６０】
＜Ｓ６４０＞
映像データ停止指示を受信したサーバ３０のＷｉ−Ｆｉ通信部３２０は、映像データ停止指示を制御部３００に出力する。制御部３００は、この映像データ停止指示の受信に応答して、Ｗｉ−Ｆｉ通信部３２０からモニタ４０Ａに対する映像データの送信を停止するよう制御する（Ｓ６４０）。
【００６１】
このとき、サーバ３０からモニタ４０Ａに対して配信映像データ受信部３５０で受信した配信映像データが送信されていた場合には、制御部３００は、この配信映像データの記憶を開始するよう、配信映像データ受信部３５０及びメモリ３４０を制御する。一方、サーバ３０からモニタ４０Ａに対してメモリ３４０に記憶されたコンテンツの映像データが送信されていた場合には、制御部３００は、映像データの送信再開のときに、送信を停止したタイミングから映像データを送信することができるよう、映像データの送信停止のタイミングを記憶する。
【００６２】
＜Ｓ６５０＞
以上の処理によって、ユーザが視聴している場所から移動してスマートフォン１０と映像を視聴しているモニタ４０との接続が切断されたとき、サーバ３０からモニタ４０への映像データの送信を自動的に停止する。また、必要に応じて、サーバ３０がモニタ４０に送信する配信映像データの録画を開始する。
【００６３】
次に、図７は、映像送信システムで実行される映像送信再開処理を示すフローチャートである。
【００６４】
＜Ｓ７００〜Ｓ７１０＞
例えば、ユーザがベッドルームからリビングへ移動したときには、上記の映像送信停止処理によって、サーバ３０からモニタ４０Ａに対する映像データの送信が停止される。その後、スマートフォン１０の近距離無線通信部１１０は、リビングに配置されたモニタ４０Ｂの近距離無線通信部４１０から発信される特定信号（モニタ情報）を取得し、制御部１００に出力する（Ｓ７１０）。
【００６５】
＜Ｓ７２０〜Ｓ７４０＞
次に、スマートフォン１０がモニタ４０Ｂの近距離無線通信部４１０から発信される特定情報を受信することでスマートフォン１０とモニタ４０Ｂとの接続が確認されると（Ｓ７２０でＹ）、スマートフォン１０の近距離無線通信部１１０は、この特定情報を取得して制御部１００に出力する（Ｓ７３０）。そして、制御部１００は、この特定情報を含む映像データ送信指示を、Ｗｉ−Ｆｉ通信部１２０からサーバ３０に対して送信するよう制御する（Ｓ７４０）。なお、このとき、スマートフォン１０でリモコンソフトが実行されていなかった場合には、ユーザが映像コンテンツの視聴を終了したと判定し、この処理は行われない。
【００６６】
＜Ｓ７５０＞
次に、サーバ３０のＷｉ−Ｆｉ通信部３２０は、無線ＬＡＮルータ２０を介して特定情報を含む映像データ送信指示を受信し、受信した特定情報を含む映像データ送信指示を制御部３００に出力する。このとき、制御部３００は、このタイミング以前に映像データ停止指示を受信していれば、特定情報によって特定されたモニタ４０Ｂに対して、モニタ４０Ａに対する送信を停止した映像データの送信を再開するよう制御する（Ｓ７５０）。すなわち、制御部３００は、配信映像データ受信部３５０で受信した配信映像データをメモリ３４０に記憶させていれば、メモリ３４０に記憶されている配信映像データをモニタ４０Ｂに対して送信する。一方、映像データの送信を停止したときに、メモリ３４０に記憶されたコンテンツの映像データを送信していた場合は、制御部３００は、ユーザが映像を連続的に視聴できるよう、メモリ３４０に記憶されている、送信が停止されたタイミング以降の映像データをモニタ４０Ｂに対して送信する。
【００６７】
＜Ｓ７６０＞
以上の処理によって、ユーザは、例えば、リビングに配置されたテレビ（モニタ４０Ｂ）で、それ以前にベッドルームに配置されたテレビ（４０Ａ）で視聴していた映像コンテンツの続きを視聴することが可能となる。
【００６８】
次に、図８は、映像送信システムで実行される映像送信終了処理を示すフローチャートである。
【００６９】
＜Ｓ８００〜Ｓ８１０＞
サーバ３０がいずれかのモニタ４０に映像データを送信しているとき、サーバ３０
のＷｉ−Ｆｉ通信部３２０は、スマートフォン１０との接続状態を断続的または連続的に確認する（Ｓ８００〜Ｓ８１０）。
【００７０】
＜Ｓ８２０＞
サーバ３０のＷｉ−Ｆｉ通信部３２０が、スマートフォン１０との接続が切断されたことを検出したら（Ｓ８２０でＮ）、Ｓ８６０の処理に移行する。
【００７１】
＜Ｓ８３０〜Ｓ８４０＞
一方、サーバ３０のＷｉ−Ｆｉ通信部３２０が、スマートフォン１０との接続が確立されていることを検出したら（Ｓ８２０でＹ）、次に、スマートフォン１０の近距離無線通信部１１０は、モニタ４０との接続状態を確認する（Ｓ８３０）。ここで、スマートフォン１０の近距離無線通信部１１０が一定時間以上、モニタ４０と接続できない状態であることが確認されたら（Ｓ８４０でＹ）、Ｓ８６０の処理に移行する。
【００７２】
＜Ｓ８５０＞
次に、スマートフォン１０では、ユーザによる映像データの送信終了操作が行われたかを確認する。ここで、ユーザの操作により映像データの送信終了が選択されると（Ｓ８５０でＹ）、Ｓ８６０の処理に移行する。ユーザが映像データの送信終了操作を行っていなければ（Ｓ８５０でＮ）、Ｓ８１０以降の処理が繰り返される。
【００７３】
＜Ｓ８６０＞
サーバ３０とスマートフォン１０との接続が切断されたことが検出され（Ｓ８２０でＮ）、スマートフォン１０とモニタ４０との接続が一定時間以上切断されていることが検出され（Ｓ８４０でＹ）、またはスマートフォン１０でユーザが映像データ送信終了処理を行った場合（Ｓ８５０でＹ）、サーバ３０はこれらのいずれかの状態の検出に応答して、モニタ４０に対する映像データの送信を終了する（Ｓ８６０）。
【００７４】
＜Ｓ８７０＞
以上の処理によって、ユーザの操作に基づき（Ｓ８５０）、または自動的に検出された接続状態に基づき（Ｓ８２０及びＳ８４０）、サーバ３０からモニタ４０に対する映像データの送信が終了する。
【００７５】
＜２．実施形態２＞
次に、本発明の実施形態２について、図９を参照しながら説明する。本実施形態では、実施形態１と比較して、モニタから特定情報を受信する処理が一部異なる。具体的には、スマートフォン１０が赤外線（ＩＲ）通信でモニタ４０に対して電源ＯＮ命令を送信し、この電源ＯＮ命令に応答してモニタ４０が近距離無線通信部４１０を起動する処理が行われる点で、実施形態１と相違する。以下の実施形態の説明では、この相違点についての説明を行い、実施形態１と同様の内容についてはその説明を省略する。
【００７６】
＜制御部１００＞
スマートフォン１０の制御部１００は、タッチパネル１３０で検出されたユーザによる操作に基づいて、電源ＯＮ命令を、ＩＲ通信部（図示せず）から赤外線（ＩＲ）通信によりモニタ４０に対して送信するよう制御可能に構成される。
【００７７】
＜制御部４００＞
モニタ４０の制御部４００は、ＩＲ通信部（図示せず）で受信された、スマートフォン１０からの電源ＯＮ命令に基づいて、モニタ４０をオン状態へと切り替え可能に構成される。本実施形態では、オフ状態またはスリープ状態のモニタ４０においては、ＩＲ通信部、Ｗｉ−Ｆｉ通信部４２０、及び制御部４００にのみ電圧が供給され、それ以外の部分には電圧が供給されない状態となっている。すなわち、オフ状態またはスリープ状態では、モニタ４０は、電源ＯＮ命令に受信によりオン状態へと切り替え可能であり、それ以外の操作ができない状態になっている。そのため、オフ状態またはスリープ状態では、近距離無線通信部４１０からは特定情報が発信されない状態となっている。
【００７８】
図９は、本実施形態の映像送信システムで実行される映像送信処理を示すフローチャートである。
【００７９】
＜Ｓ５０１＞
ユーザがモニタ４０で映像コンテンツなどを視聴するため、スマートフォン１０のタッチパネル１３０でモニタ４０の電源をオンにする操作を行うと、スマートフォン１０の制御部１００は、ＩＲ通信部からモニタ４０に対して電源ＯＮ命令を送信する（Ｓ５０１）。
【００８０】
＜Ｓ５０２＞
モニタ４０のＩＲ通信部は、スマートフォン１０から送信された電源ＯＮ命令を受信したら、まず、近距離無線通信部４１０を起動して特定情報の発信を開始する。これにより、スマートフォン１０の近距離無線通信部１１０は、このモニタ４０の特定情報を受信可能になる。
【００８１】
上記のような処理によって、モニタ４０では、ＩＲ（赤外線）通信によって電源ＯＮ命令を受信したことを起因として特定情報を発信することが可能となる。これによれば、モニタ４０は電源ＯＮ命令を受信したタイミングから一定時間だけ、特定情報を送信するように制御することが可能となる。これによれば、モニタ４０における消費電力を削減することが可能である。
【００８２】
＜３．実施形態３＞
次に、本発明の実施形態３について、図１０を参照しながら説明する。本実施形態では、実施形態１と比較して、モニタから特定情報を受信する処理が一部異なる。具体的には、まず、スマートフォン１０がサーバ３０を介してすべてのモニタ４０に対して映像データを送信する。そして、映像データを受信したモニタ４０は、それぞれ特定情報の発信を開始する。スマートフォン１０はこの特定情報に基づいて、映像データを送信するモニタ４０を特定する。このように、モニタ４０からの特定情報の発信処理に関して、本実施形態は実施形態１及び実施形態２と相違する。以下の実施形態の説明では、この相違点についての説明を行い、実施形態１と同様の内容についてはその説明を省略する。
【００８３】
＜制御部１００＞
スマートフォン１０の制御部１００は、タッチパネル１３０で検出されたユーザによるサーバ３０からモニタ４０への映像データの送信を開始することを指示する操作に基づいて、サーバ３０に対して、まずはすべてのモニタ４０に対して映像データを送信するような指示を送信する。
【００８４】
＜制御部３００＞
サーバ３０の制御部３００は、スマートフォン１０からの、すべてのモニタ４０に対する映像データを送信する指示に基づいて、サーバ３０に接続されたすべてのモニタ４０に対して映像データを送信するようＷｉ−Ｆｉ通信部３２０を制御する。
【００８５】
＜制御部４００＞
モニタ４０の制御部４００は、Ｗｉ−Ｆｉ通信部４２０がサーバ３０から映像データの受信を開始したことを検知したときに、モニタ４０をオン状態へと切り替え可能に構成される。本実施形態では、オフ状態またはスリープ状態のモニタ４０においては、Ｗｉ−Ｆｉ通信部４２０、及び制御部４００にのみ電圧が供給され、それ以外の部分には電圧が供給されない状態となっている。そのため、オフ状態またはスリープ状態では、近距離無線通信部４１０からは特定情報が発信されない状態となっている。
【００８６】
図１０は、本実施形態の映像送信システムで実行される映像送信処理を示すフローチャートである。
【００８７】
＜Ｓ５０３＞
ユーザが、例えばベッドルームに配置されたモニタ４０Ａで映像コンテンツなどを視聴するため、スマートフォン１０のタッチパネル１３０で映像データの視聴を開始する操作を行うと、スマートフォン１０のＷｉ−Ｆｉ通信部１２０は、サーバ３０に対して、すべてのモニタ４０Ａ〜４０Ｃに対して映像データを送信する指示を送信する（Ｓ５０３）。
【００８８】
＜Ｓ５０４＞
上記指示を受信したサーバ３０では、制御部３００は、すべてのモニタ４０Ａ〜４０Ｃに対して映像データを送信するようＷｉ−Ｆｉ通信部３２０を制御する（Ｓ５０４）。
【００８９】
＜Ｓ５０５＞
モニタ４０Ａ〜４０ＣのそれぞれのＷｉ−Ｆｉ通信部４２０は、サーバ３０から映像データを受信したら、まず、近距離無線通信部４１０を起動して特定情報の発信を開始する（Ｓ５０５）。これにより、スマートフォン１０の近距離無線通信部１１０は、このモニタ４０の特定情報を受信可能になる。
【００９０】
スマートフォン１０は、上記の処理でモニタ４０Ａ〜４０Ｃから発信される特定情報を受信するが、特定情報は近距離無線通信で発信されるため、異なる部屋に配置されたモニタ４０から発信される特定情報は受信できない。したがって、スマートフォン１０は、現在の部屋（例えばベッドルーム）に配置されたモニタ４０Ａから発信される特定情報のみを取得可能であり（Ｓ５１０参照）、これによってサーバ３０から映像を送信すべきモニタ４０を特定可能である。
【００９１】
上記のような処理によって、モニタ４０では、サーバ３０から映像データを受信したことを起因として特定情報を発信することが可能となる。これによれば、モニタ４０は映像データを受信したタイミングから一定時間だけ、特定情報を送信するように制御することが可能となる。これによれば、モニタ４０における消費電力を削減することが可能である。
【００９２】
＜４．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００９３】
上記実施形態における映像送信システムでは、スマートフォン１０とサーバ３０との間に無線ＬＡＮルータ２０が配置されていたが、この無線ＬＡＮルータ２０は必須の構成ではない。すなわち、スマートフォン１０とサーバ３０とが直接接続されていてもよい。
【００９４】
また、無線ＬＡＮルータ２０とサーバ３０とは、無線ではなく有線で接続されていてもよい。このとき、サーバ３０は、スマートフォン１０から送信された信号を、無線ＬＡＮルータ２０から有線で受信することとなる。ただし、無線ＬＡＮルータ２０とサーバ３０とが無線で接続される構成では、ケーブルを必要としない映像送信システムを構成できるため好ましい。
【００９５】
また、サーバ３０とモニタ４０Ａ〜４０Ｃとは、無線ではなく有線で接続されていてもよい。このとき、サーバ３０とモニタ４０Ａ〜４０Ｃとは、有線で信号の送受信が行われる。ただし、サーバ３０とモニタ４０Ａ〜４０Ｃとが無線で接続される構成では、ケーブルを必要としない映像送信システムを構成できるため好ましい。
【００９６】
また、スマートフォン１０は、同様の機能を備えるタブレット機器、専用リモコン装置などの無線通信装置と置き換えてもよい。
【００９７】
また、映像送信システムを構成する各装置は、それぞれが複数の構成に分けられてもよい。例えばサーバ３０は、Ｗｉ−Ｆｉ通信部３２０を含む無線機能を備える装置と、コンテンツを記憶するメモリ３４０を備える装置との複数の装置によって構成されてもよい。
【００９８】
また、上記実施形態では、スマートフォン１０とモニタ４０との接続が切断されたことが検出されたときに、サーバ３０からモニタ４０に対する映像データの送信を停止したが、この映像データの送信停止は、ユーザの操作により行われてもよい。
【００９９】
＜５．本発明の特徴＞
以上、説明したような構成の映像送信システムに含まれる特徴的な装置及び方法は、以下のようなものである。
【０１００】
本発明の映像データ制御装置（スマートフォン１０）は、受信した映像データを表示可能に構成された表示装置（モニタ４０）から、該表示装置を特定するための特定情報を無線で受信可能に構成された無線受信部（近距離無線通信部１１０）と、映像データを送信可能に構成された映像データ送信装置（サーバ３０）に対して、特定情報で特定された表示装置に映像データを送信するよう指示する映像データ送信指示を無線で送信可能に構成された無線送信部（Ｗｉ−Ｆｉ通信部１２０）と、を備えることを特徴とする。
【０１０１】
上記構成の映像データ制御装置（スマートフォン１０）によれば、ユーザの操作によらず自動的かつ容易に映像データを送信する表示装置（モニタ４０）を特定し、ユーザが容易に映像コンテンツの視聴をすることが可能となる。
【０１０２】
また、本発明の映像データ制御装置（スマートフォン１０）では、無線送信部（Ｗｉ−Ｆｉ通信部１２０）は、表示装置（モニタ４０）との無線通信が切断されたことが検出されたとき、映像データ送信装置（サーバ３０）に対して、表示装置に対する映像データの送信を停止するよう指示する映像データ停止指示を無線で送信可能に構成されたことを特徴とする。
【０１０３】
上記構成の映像データ制御装置（スマートフォン１０）によれば、映像データ制御装置（スマートフォン１０）を保持したユーザが表示装置（モニタ４０）から離れたときに、映像データ送信装置（サーバ３０）から表示装置（モニタ４０）に対する映像データの送信を自動的に停止することが可能となる。
【０１０４】
また、本発明の映像データ制御装置（スマートフォン１０）では、無線受信部（近距離無線通信部１１０）は、第１の表示装置（例えばベッドルームのモニタ４０Ａ）との無線通信が切断された後、第２の表示装置（例えばリビングのモニタ４０Ｂ）との無線通信が開始されたことが検出されたとき、該第２の表示装置を特定するための特定情報を無線で受信可能に構成されており、無線送信部（Ｗｉ−Ｆｉ通信部１２０）は、特定情報で特定された第２の表示装置に、第１の表示装置に対する送信が停止された映像データの送信を再開するよう指示する映像データ送信再開指示を無線で送信可能に構成されていることを特徴とする。
【０１０５】
上記構成の映像データ送信装置（サーバ３０）によれば、ユーザが映像を視聴する部屋を移動して視聴に利用する表示装置（モニタ４０）を変更したいときに、自動的かつ継続的に映像コンテンツを視聴することが容易になる。
【０１０６】
一方、本発明の映像データ送信装置（サーバ３０）は、受信した映像データを表示可能に構成された表示装置を特定する特定情報、映像データの送信を指示する映像データ送信指示、及び映像データの送信停止を指示する映像データ停止指示、を受信可能に構成された無線受信部（Ｗｉ−Ｆｉ通信部３２０）と、配信された配信映像データを受信可能に構成された配信映像データ受信部（３５０）と、配信映像データを、表示装置に対して映像データとして送信可能に構成された映像データ送信部（Ｗｉ−Ｆｉ通信部３２０）と、配信映像データを記憶可能に構成された配信映像データ記憶部（メモリ３４０）と、映像データ送信部及び映像データ記憶部を制御可能に構成された制御部（３００）と、を備える。
そして、制御部（３００）は、
（１）映像データ送信指示を受信したとき、特定情報で特定された表示装置に対して映像データを送信するよう映像データ送信部を制御し、
（２）映像データ停止指示を受信したとき、表示装置に対する映像データの送信を停止するよう映像データ送信部を制御し、かつ、配信映像データを記憶するよう配信映像データ記憶部を制御し、
（３）映像データ停止指示の後に映像データ送信指示を受信したとき、特定情報で特定された表示装置に対して、配信映像データ記憶部に記憶された映像データを送信するよう配信映像データ記憶部及び映像データ送信部を制御することができるよう構成されたことを特徴とする。
【０１０７】
上記構成の映像データ送信装置（サーバ３０）によれば、ユーザの操作によらず自動的かつ容易に映像データを送信する表示装置（モニタ４０）を特定し、ユーザが容易に映像コンテンツの視聴をすることが可能となる。さらに、ユーザが映像を視聴する部屋を移動して視聴に利用する表示装置（モニタ４０）を変更したいときに、自動的かつ継続的に映像コンテンツを視聴することが容易になる。
【０１０８】
一方、本発明の映像データ制御方法は、受信した映像データを表示可能に構成された表示装置（モニタ４０）から、該表示装置を特定するための特定情報を無線で受信する特定情報受信ステップ（Ｓ５１０）と、映像データを送信可能に構成された映像データ送信装置（サーバ３０）に対して、特定情報で特定された表示装置に映像データを送信するよう指示する映像データ送信指示を無線で送信する映像データ送信指示ステップ（Ｓ５２０）と、表示装置に映像データを送信する映像データ送信ステップ（Ｓ５３０）と、を含むことを特徴とする。
【０１０９】
上記構成の映像データ制御方法によれば、ユーザの操作によらず自動的かつ容易に映像データを送信する表示装置（モニタ４０）を特定し、ユーザが容易に映像コンテンツの視聴をすることが可能となる。
【０１１０】
また、本発明の映像データ制御方法は、特定情報受信ステップ（Ｓ５１０）の前に、表示装置（モニタ４０）に対して赤外線通信により特定情報の発信を指示する特定情報発信指示ステップ（Ｓ５０１〜Ｓ５０２）を含むことを特徴とする。
【０１１１】
上記構成の映像データ制御方法によれば、赤外線通信により表示装置（モニタ４０）の電源をオン状態にし、同時に特定情報の発信を指示することなどが可能になる。これにより、赤外線通信で特定情報の発信指示を受信するまでは特定情報を発信する必要がなくなり、表示装置（モニタ４０）における消費電力を削減することが可能となる。
【０１１２】
また、本発明の映像データ制御方法は、特定情報受信ステップ（Ｓ５１０）の前に、映像データ送信装置（サーバ３０）を介して、表示装置（モニタ４０）に対して特定情報の発信を指示する特定情報発信指示ステップ（Ｓ５０３〜Ｓ５０５）を含む、ことを特徴とする。
【０１１３】
上記構成の映像データ制御方法によれば、赤外線通信機能などを備えない映像データ制御装置（スマートフォン１０）を利用しながら、自動的かつ容易に映像データを送信する表示装置（モニタ４０）を特定し、ユーザが容易に映像コンテンツの視聴をすることが可能となる。
【産業上の利用可能性】
【０１１４】
本発明は、複数のモニタに接続されたＳＴＢに記憶された映像コンテンツをスマートフォンなどで操作可能な映像送信システムなどとして好適に適用される。
【符号の説明】
【０１１５】
１０…スマートフォン
２０…無線ＬＡＮルータ
３０…サーバ
４０、４０Ａ〜４０Ｃ…モニタ
１００…制御部
１１０…近距離無線通信部
１２０…Ｗｉ−Ｆｉ通信部
１３０…タッチパネル
１４０…メモリ
３００…制御部
３２０…Ｗｉ−Ｆｉ通信部
３４０…メモリ
３５０…配信映像データ受信部
４００…制御部
４１０…近距離無線通信部
４２０…Ｗｉ−Ｆｉ通信部
４３０…表示部
４４０…メモリ
【図１】
2016019025.tif 000003
【図２】
2016019025.tif 000004
【図３】
2016019025.tif 000005
【図４】
2016019025.tif 000006
【図５】
2016019025.tif 000007
【図６】
2016019025.tif 000008
【図７】
2016019025.tif 000009
【図８】
2016019025.tif 000010
【図９】
2016019025.tif 000011
【図１０】
2016019025.tif 000012